(57)【要約】【課題】本発明は幼稚園の健康飲用水の集中処理器を開示した。【解決手段】飲水器を含み、前記飲水器の中には作業空間が設置され、前記作業空間の中には飲水機構が設置され、前記飲水機構が飲用水を貯蔵して定量に排出することができ、前記飲水機構の下側にはカップ送り機構が装着され、前記カップ送り機構の中が第一ベルトによって摩擦伝動し、本装置は幼稚園に置かれることができ、子供が自分で水を取れ、子供の日常飲水の需要を満たせ、子供が水筒を持参する必要がなくなり、また天気と外界の状況によって、子供の飲用水にビタミンなどの有益物質を入れ、子供の飲水をさらに健康にし、子供に別々に有益物質の薬を飲ませる必要がなくなり、時間を節約できる。【選択図】図１
2020203725.tif 000002
【特許請求の範囲】
【請求項１】
飲水器を含み、前記飲水器の中には作業空間が設置され、前記作業空間の中には飲水機構が設置され、前記飲水機構が飲用水を貯蔵して定量に排出することができ、
前記飲水機構の下側にはカップ送り機構が装着され、前記カップ送り機構の中が第一ベルトによって摩擦伝動し、前記第一ベルトの上側には前記第一ベルトにつれ運動するカップが七つ設置され、前記飲水機構の排出した飲用水が順次に前記カップの中に入り、
前記飲水機構の左側には薬加え機構が装着され、前記薬加え機構は左右にスライドできる押出ロッドを含み、前記作業空間の前端壁には薬貯蔵ブロックが固定的に設置され、前記薬貯蔵ブロックの中には錠剤が八つスライドできるように設置され、前記錠剤の右側には上下に運動できる第一ラックが設置され、前記第一ラックの右側には前記第一ラックと噛み合うように伝動する伝動ギヤが設置され、前記作業空間の後端壁には装置の動力源としてのモータが装着され、前記押出ロッドが右方へ運動する時に最上側の前記錠剤を押し動かして落下させ、前記第一ラックが上昇し、前記第一ラックと前記伝動ギヤとの噛み合いによる伝動で前記モータを作動させられ、
前記薬加え機構の下側には粉砕機構が設置され、前記粉砕機構は回転できる摩擦輪と固定された円輪とを含み、前記錠剤が前記円輪と前記摩擦輪との間に落ち、前記円輪と前記摩擦輪との伝動によって前記錠剤を粉砕して前記カップの中に落とすことができ、
前記モータが作動して前記カップ送り機構と、前記粉砕機構と、前記飲水機構とを順次に駆動できることを特徴とする幼稚園の健康飲用水の集中処理器。
【請求項２】
前記カップ送り機構は前記作業空間の後端壁に回転できるように連結された第一プーリ軸も含み、前記第一プーリ軸には第一小型プーリと第一プーリとが固定的に設置され、前記第一プーリが前記第一小型プーリの前側に位置し、前記第一プーリ軸の上側には前記作業空間の後端壁に回転できるように連結された出力軸が設置され、前記出力軸には大型ギヤと第二小型プーリとが固定的に設置され、前記第二小型プーリと前記第一小型プーリとが第二ベルトによって摩擦伝動し、前記第一プーリ軸の右側には前記作業空間の後端壁に回転できるように連結された第二プーリ軸が設置され、前記第二プーリ軸には第二プーリが固定的に設置され、前記第二プーリと前記第一プーリとが前記第一ベルトによって摩擦伝動し、前記作業空間の後端壁には定位ロッドが固定的に設置され、前記定位ロッドにはドア板が回転できるように設置され、前記ドア板と前記定位ロッドとの間には捻りばねが設置され、前記ドア板の右端面には右端が外部空間に位置している取っ手が固定的に設置されていることを特徴とする請求項１に記載の幼稚園の健康飲用水の集中処理器。
【請求項３】
前記粉砕機構は前記作業空間の前端壁に固定的に連結された粉砕ブロックも含み、前記粉砕ブロックの中には前記粉砕ブロックの上下端面を貫通した粉砕空間が設置され、前記粉砕空間の前端壁には粉砕軸が回転できるように設置され、前記粉砕空間の前端壁には粉砕ロッドが固定的に設置され、前記粉砕軸が前記粉砕ロッドの右側に位置しており、前記粉砕軸の後端が前記粉砕空間を貫通し、且つ前記作業空間の後端壁に回転できるように連結され、前記粉砕ロッドには前記円輪が固定的に設置され、前記粉砕空間の中の粉砕軸には前記摩擦輪が固定的に設置され、前記作業空間の中の粉砕軸には粉砕プーリが固定的に設置され、前記作業空間の後端壁には伝動軸が回転できるように設置され、前記伝動軸には動力ギヤと動力プーリとが固定的に設置され、前記動力プーリが前記動力ギヤの前側に位置しており、前記動力プーリと前記粉砕プーリとが第三ベルトによって摩擦伝動することを特徴とする請求項１に記載の幼稚園の健康飲用水の集中処理器。
【請求項４】
前記薬加え機構は左方に開口した押し溝も含み、前記押し溝が前記飲水器の左端面の中に位置しており、前記押し溝の中には押し板がスライドできるように設置され、前記押し板の右端面には右端が前記押し溝の右端壁と固定的に連結された押しばねが上下対称的に、固定的に設置され、前記押し板の右端面の中心には右端が前記作業空間の中に位置している前記押出ロッドが固定的に設置され、前記薬貯蔵ブロックの中には上方に開口した昇降溝が形成され、前記昇降溝の外側には前記作業空間に連通したガイド溝が三つ形成され、前記昇降溝の下端壁には昇降ばねが固定的に設置され、前記昇降ばねの上端には前記昇降溝とスライドできるように連結された昇降ブロックが固定的に設置され、前記昇降ブロックには前記ガイド溝を貫通したガイドロッドが三つ固定的に設置され、後側の前記ガイドロッドの右端面には支持ロッドが固定的に設置されていることを特徴とする請求項１に記載の幼稚園の健康飲用水の集中処理器。
【請求項５】
前記支持ロッドの右端には前記第一ラックが固定的に設置され、前記作業空間の後端壁には旋転軸が回転できるように設置され、前記旋転軸には前記伝動ギヤと旋転ロッドとが固定的に設置され、前記旋転ロッドが前記伝動ギヤの前側に位置しており、前記旋転ロッドの中には圧力ロッドが回転できるように設置され、前記旋転ロッドと前記圧力ロッドとの間には圧力ばねが設置され、前記旋転軸の右側には前記作業空間の後端壁と固定的に連結された電源が設置され、前記作業空間の後端壁の中には前方に開口した移動溝が形成され、前記移動溝の左端壁には電磁石が固定的に設置され、前記移動溝の中には前端が前記作業空間の中に位置している鉄ブロックがスライドできるように設置され、前記鉄ブロックの前端にはプラグが固定的に設置され、前記プラグと前記モータとが電線によって連通され、前記モータの前端面にはモータ軸が回転できるように設置され、前記モータ軸にはセクタギヤが固定的に設置されていることを特徴とする請求項４に記載の幼稚園の健康飲用水の集中処理器。
【請求項６】
前記飲水機構は前記作業空間の上端壁と固定的に連結された貯水ブロックを含み、前記貯水ブロックの上側には前記飲水器とヒンジで連結された弧状板が設置され、前記貯水ブロックの下側には前記作業空間の後端壁と固定的に連結された水蓄えブロックが設置され、前記水蓄えブロックの中には水蓄え空間が設置され、前記水蓄え空間と前記貯水ブロックとが水入り管によって連通され、前記水入り管の中には第一逆止め弁が設置され、前記作業空間の下端壁の左側には外部空間に連通した水取り溝が形成され、前記作業空間の後端壁には排水器が装着され、前記排水器と前記水蓄え空間とが排水管によって連通され、前記排水管の中には第二逆止め弁が設置され、前記水蓄え空間の中にはピストンがスライドできるように設置され、前記ピストンの左端面には左端が前記水蓄え空間の左端壁と固定的に連結されたピストンばねが上下対称的に、固定的に設置され、前記ピストンの左端面の中心には左端が前記作業空間の中に位置するピストンロッドが固定的に設置され、前記ピストンロッドの下端面には鉛直ロッドが固定的に設置され、前記鉛直ロッドの下端には第二ラックが固定的に設置されていることを特徴とする請求項１に記載の幼稚園の健康飲用水の集中処理器。
【請求項７】
前記昇降ばねが圧縮状態にあることを特徴とする請求項４に記載の幼稚園の健康飲用水の集中処理器。
【請求項８】
前記セクタギヤが回転する時に前記大型ギヤと、前記動力ギヤと、前記第二ラックと順次に噛み合うように伝動できることを特徴とする請求項５に記載の幼稚園の健康飲用水の集中処理器。
【請求項９】
前記飲水器の上端面には開閉板がヒンジで連結され、前記開閉板の上端面には耳型ブロックが固定的に設置されていることを特徴とする請求項１に記載の幼稚園の健康飲用水の集中処理器。
【発明の詳細な説明】
【技術分野】
【０００１】
本発明は飲用水観測分野を取り上げて、具体的には幼稚園の健康飲用水の集中処理器である。
【背景技術】
【０００２】
幼児期は子供が高速成長の段階であり、この時期において、子供の新陳代謝がはやく、毎日大量の水分を補充しなくてはいけなく、一般的に、親が子供の日常飲水のために携帯用水筒などを用意し、しかし、子供が水筒やカップなどを持ち忘れまたは失いやすく、また日常の需要として子供にビタミンなどの薬物を飲ませる時に、子供の協力が必要であるため、時間がかかる。
【先行技術文献】
【特許文献】
【０００３】
【特許文献１】中国特許出願公開第１０５８００７３７号明細書
【発明の概要】
【発明が解決しようとする課題】
【０００４】
本発明は幼稚園の健康飲用水の集中処理器を提供し、子供の飲水が不便であることと、子供に健康のための薬物を飲ませることとなどの問題を解決することを目的とする。
【課題を解決するための手段】
【０００５】
本発明は以下の技術プランによって実現される。
【０００６】
本発明の幼稚園の健康飲用水の集中処理器は、飲水器を含み、前記飲水器の中には作業空間が設置され、前記作業空間の中には飲水機構が設置され、前記飲水機構が飲用水を貯蔵して定量に排出することができ、
前記飲水機構の下側にはカップ送り機構が装着され、前記カップ送り機構の中が第一ベルトによって摩擦伝動し、前記第一ベルトの上側には前記第一ベルトにつれ運動するカップが七つ設置され、前記飲水機構の排出した飲用水が順次に前記カップの中に入り、
前記飲水機構の左側には薬加え機構が装着され、前記薬加え機構は左右にスライドできる押出ロッドを含み、前記作業空間の前端壁には薬貯蔵ブロックが固定的に設置され、前記薬貯蔵ブロックの中には錠剤が八つスライドできるように設置され、前記錠剤の右側には上下に運動できる第一ラックが設置され、前記第一ラックの右側には前記第一ラックと噛み合うように伝動する伝動ギヤが設置され、前記作業空間の後端壁には装置の動力源としてのモータが装着され、前記押出ロッドが右方へ運動する時に最上側の前記錠剤を押し動かして落下させ、前記第一ラックが上昇し、前記第一ラックと前記伝動ギヤとの噛み合いによる伝動で前記モータを作動させられ、
前記薬加え機構の下側には粉砕機構が設置され、前記粉砕機構は回転できる摩擦輪と固定された円輪とを含み、前記錠剤が前記円輪と前記摩擦輪との間に落ち、前記円輪と前記摩擦輪との伝動によって前記錠剤を粉砕して前記カップの中に落とすことができ、
前記モータが作動して前記カップ送り機構と、前記粉砕機構と、前記飲水機構とを順次に駆動できる。
【０００７】
好ましくは、前記カップ送り機構は前記作業空間の後端壁に回転できるように連結された第一プーリ軸も含み、前記第一プーリ軸には第一小型プーリと第一プーリとが固定的に設置され、前記第一プーリが前記第一小型プーリの前側に位置し、前記第一プーリ軸の上側には前記作業空間の後端壁に回転できるように連結された出力軸が設置され、前記出力軸には大型ギヤと第二小型プーリとが固定的に設置され、前記第二小型プーリと前記第一小型プーリとが第二ベルトによって摩擦伝動し、前記第一プーリ軸の右側には前記作業空間の後端壁に回転できるように連結された第二プーリ軸が設置され、前記第二プーリ軸には第二プーリが固定的に設置され、前記第二プーリと前記第一プーリとが前記第一ベルトによって摩擦伝動し、前記作業空間の後端壁には定位ロッドが固定的に設置され、前記定位ロッドにはドア板が回転できるように設置され、前記ドア板と前記定位ロッドとの間には捻りばねが設置され、前記ドア板の右端面には右端が外部空間に位置している取っ手が固定的に設置されている。
【０００８】
好ましくは、前記粉砕機構は前記作業空間の前端壁に固定的に連結された粉砕ブロックも含み、前記粉砕ブロックの中には前記粉砕ブロックの上下端面を貫通した粉砕空間が設置され、前記粉砕空間の前端壁には粉砕軸が回転できるように設置され、前記粉砕空間の前端壁には粉砕ロッドが固定的に設置され、前記粉砕軸が前記粉砕ロッドの右側に位置しており、前記粉砕軸の後端が前記粉砕空間を貫通し、且つ前記作業空間の後端壁に回転できるように連結され、前記粉砕ロッドには前記円輪が固定的に設置され、前記粉砕空間の中の粉砕軸には前記摩擦輪が固定的に設置され、前記作業空間の中の粉砕軸には粉砕プーリが固定的に設置され、前記作業空間の後端壁には伝動軸が回転できるように設置され、前記伝動軸には動力ギヤと動力プーリとが固定的に設置され、前記動力プーリが前記動力ギヤの前側に位置しており、前記動力プーリと前記粉砕プーリとが第三ベルトによって摩擦伝動する。
【０００９】
好ましくは、前記薬加え機構は左方に開口した押し溝も含み、前記押し溝が前記飲水器の左端面の中に位置しており、前記押し溝の中には押し板がスライドできるように設置され、前記押し板の右端面には右端が前記押し溝の右端壁と固定的に連結された押しばねが上下対称的に、固定的に設置され、前記押し板の右端面の中心には右端が前記作業空間の中に位置している前記押出ロッドが固定的に設置され、前記薬貯蔵ブロックの中には上方に開口した昇降溝が形成され、前記昇降溝の外側には前記作業空間に連通したガイド溝が三つ形成され、前記昇降溝の下端壁には昇降ばねが固定的に設置され、前記昇降ばねの上端には前記昇降溝とスライドできるように連結された昇降ブロックが固定的に設置され、前記昇降ブロックには前記ガイド溝を貫通したガイドロッドが三つ固定的に設置され、後側の前記ガイドロッドの右端面には支持ロッドが固定的に設置されている。
【００１０】
好ましくは、前記支持ロッドの右端には前記第一ラックが固定的に設置され、前記作業空間の後端壁には旋転軸が回転できるように設置され、前記旋転軸には前記伝動ギヤと旋転ロッドとが固定的に設置され、前記旋転ロッドが前記伝動ギヤの前側に位置しており、前記旋転ロッドの中には圧力ロッドが回転できるように設置され、前記旋転ロッドと前記圧力ロッドとの間には圧力ばねが設置され、前記旋転軸の右側には前記作業空間の後端壁と固定的に連結された電源が設置され、前記作業空間の後端壁の中には前方に開口した移動溝が形成され、前記移動溝の左端壁には電磁石が固定的に設置され、前記移動溝の中には前端が前記作業空間の中に位置している鉄ブロックがスライドできるように設置され、前記鉄ブロックの前端にはプラグが固定的に設置され、前記プラグと前記モータとが電線によって連通され、前記モータの前端面にはモータ軸が回転できるように設置され、前記モータ軸にはセクタギヤが固定的に設置されている。
【００１１】
好ましくは、前記飲水機構は前記作業空間の上端壁と固定的に連結された貯水ブロックを含み、前記貯水ブロックの上側には前記飲水器とヒンジで連結された弧状板が設置され、前記貯水ブロックの下側には前記作業空間の後端壁と固定的に連結された水蓄えブロックが設置され、前記水蓄えブロックの中には水蓄え空間が設置され、前記水蓄え空間と前記貯水ブロックとが水入り管によって連通され、前記水入り管の中には第一逆止め弁が設置され、前記作業空間の下端壁の左側には外部空間に連通した水取り溝が形成され、前記作業空間の後端壁には排水器が装着され、前記排水器と前記水蓄え空間とが排水管によって連通され、前記排水管の中には第二逆止め弁が設置され、前記水蓄え空間の中にはピストンがスライドできるように設置され、前記ピストンの左端面には左端が前記水蓄え空間の左端壁と固定的に連結されたピストンばねが上下対称的に、固定的に設置され、前記ピストンの左端面の中心には左端が前記作業空間の中に位置するピストンロッドが固定的に設置され、前記ピストンロッドの下端面には鉛直ロッドが固定的に設置され、前記鉛直ロッドの下端には第二ラックが固定的に設置されている。
【００１２】
好ましくは、前記昇降ばねが圧縮状態にある。
【００１３】
好ましくは、前記セクタギヤが回転する時に前記大型ギヤと、前記動力ギヤと、前記第二ラックと順次に噛み合うように伝動できる。
【００１４】
好ましくは、前記飲水器の上端面には開閉板がヒンジで連結され、前記開閉板の上端面には耳型ブロックが固定的に設置されている。
【発明の効果】
【００１５】
本装置は幼稚園に置かれることができ、子供が自分で水を取れ、子供の日常飲水の需要を満たせ、子供が水筒を持参する必要がなくなり、また天気と外界の状況によって、子供の飲用水にビタミンなどの有益物質を入れ、子供の飲水をさらに健康にし、子供に別々に有益物質の薬を飲ませる必要がなくなり、時間を節約できる。
【図面の簡単な説明】
【００１６】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の幼稚園の健康飲用水の集中処理器の全体全断面の正面構成模式図
【図２】図２は図１のＡのところの拡大模式図
【図３】図３は図１のＢのところの拡大模式図
【図４】図４は図１のＣ―Ｃ方向からの模式図
【図５】図５は図１のＤ―Ｄ方向からの模式図
【図６】図６は図１のＥ―Ｅ方向からの模式図
【発明を実施するための形態】
【００１８】
図１〜６に記載の幼稚園の健康飲用水の集中処理器の機械機構模式図を交え、本発明の幼稚園の健康飲用水の集中処理器は、飲水器１０を含み、前記飲水器１０の中には作業空間１６が設置され、前記作業空間１６の中には飲水機構９１が設置され、前記飲水機構９１が飲用水を貯蔵して定量に排出することができ、
前記飲水機構９１の下側にはカップ送り機構９０が装着され、前記カップ送り機構９０の中が第一ベルト５５によって摩擦伝動し、前記第一ベルト５５の上側には前記第一ベルト５５につれ運動するカップ５２が七つ設置され、前記飲水機構９１の排出した飲用水が順次に前記カップ５２の中に入り、
前記飲水機構９１の左側には薬加え機構９３が装着され、前記薬加え機構９３は左右にスライドできる押出ロッド２８を含み、前記作業空間１６の前端壁には薬貯蔵ブロック２１が固定的に設置され、前記薬貯蔵ブロック２１の中には錠剤２７が八つスライドできるように設置され、前記錠剤２７の右側には上下に運動できる第一ラック６５が設置され、前記第一ラック６５の右側には前記第一ラック６５と噛み合うように伝動する伝動ギヤ６１が設置され、前記作業空間１６の後端壁には装置の動力源としてのモータ７７が装着され、前記押出ロッド２８が右方へ運動する時に最上側の前記錠剤２７を押し動かして落下させ、前記第一ラック６５が上昇し、前記第一ラック６５と前記伝動ギヤ６１との噛み合いによる伝動で前記モータ７７を作動させられ、
前記薬加え機構９３の下側には粉砕機構９２が設置され、前記粉砕機構９２は回転できる摩擦輪１４と固定された円輪１９とを含み、前記錠剤２７が前記円輪１９と前記摩擦輪１４との間に落ち、前記円輪１９と前記摩擦輪１４との伝動によって前記錠剤２７を粉砕して前記カップ５２の中に落とすことができ、
前記モータ７７が作動して前記カップ送り機構９０と、前記粉砕機構９２と、前記飲水機構９１とを順次に駆動できる。
【００１９】
更に、前記カップ送り機構９０について詳しく説明し、前記カップ送り機構９０は前記作業空間１６の後端壁に回転できるように連結された第一プーリ軸８１も含み、前記第一プーリ軸８１には第一小型プーリ８２と第一プーリ８０とが固定的に設置され、前記第一プーリ８０が前記第一小型プーリ８２の前側に位置し、前記第一プーリ軸８１の上側には前記作業空間１６の後端壁に回転できるように連結された出力軸７０が設置され、前記出力軸７０には大型ギヤ６９と第二小型プーリ７１とが固定的に設置され、前記第二小型プーリ７１と前記第一小型プーリ８２とが第二ベルト５６によって摩擦伝動し、前記第一プーリ軸８１の右側には前記作業空間１６の後端壁に回転できるように連結された第二プーリ軸５３が設置され、前記第二プーリ軸５３には第二プーリ５４が固定的に設置され、前記第二プーリ５４と前記第一プーリ８０とが前記第一ベルト５５によって摩擦伝動し、前記作業空間１６の後端壁には定位ロッド５０が固定的に設置され、前記定位ロッド５０にはドア板５１が回転できるように設置され、前記ドア板５１と前記定位ロッド５０との間には捻りばね４９が設置され、前記ドア板５１の右端面には右端が外部空間に位置している取っ手４８が固定的に設置されている。
【００２０】
更に、前記粉砕機構９２について詳しく説明し、前記粉砕機構９２は前記作業空間１６の前端壁に固定的に連結された粉砕ブロック２０も含み、前記粉砕ブロック２０の中には前記粉砕ブロック２０の上下端面を貫通した粉砕空間１７が設置され、前記粉砕空間１７の前端壁には粉砕軸１５が回転できるように設置され、前記粉砕空間１７の前端壁には粉砕ロッド１８が固定的に設置され、前記粉砕軸１５が前記粉砕ロッド１８の右側に位置しており、前記粉砕軸１５の後端が前記粉砕空間１７を貫通し、且つ前記作業空間１６の後端壁に回転できるように連結され、前記粉砕ロッド１８には前記円輪１９が固定的に設置され、前記粉砕空間１７の中の粉砕軸１５には前記摩擦輪１４が固定的に設置され、前記作業空間１６の中の粉砕軸１５には粉砕プーリ８３が固定的に設置され、前記作業空間１６の後端壁には伝動軸７２が回転できるように設置され、前記伝動軸７２には動力ギヤ７４と動力プーリ７３とが固定的に設置され、前記動力プーリ７３が前記動力ギヤ７４の前側に位置しており、前記動力プーリ７３と前記粉砕プーリ８３とが第三ベルト１１によって摩擦伝動する。
【００２１】
更に、前記薬加え機構９３について詳しく説明し、前記薬加え機構９３は左方に開口した押し溝３０も含み、前記押し溝３０が前記飲水器１０の左端面の中に位置しており、前記押し溝３０の中には押し板２９がスライドできるように設置され、前記押し板２９の右端面には右端が前記押し溝３０の右端壁と固定的に連結された押しばね３１が上下対称的に、固定的に設置され、前記押し板２９の右端面の中心には右端が前記作業空間１６の中に位置している前記押出ロッド２８が固定的に設置され、前記薬貯蔵ブロック２１の中には上方に開口した昇降溝２２が形成され、前記昇降溝２２の外側には前記作業空間１６に連通したガイド溝２６が三つ形成され、前記昇降溝２２の下端壁には昇降ばね２３が固定的に設置され、前記昇降ばね２３の上端には前記昇降溝２２とスライドできるように連結された昇降ブロック２４が固定的に設置され、前記昇降ブロック２４には前記ガイド溝２６を貫通したガイドロッド２５が三つ固定的に設置され、後側の前記ガイドロッド２５の右端面には支持ロッド６２が固定的に設置され、
前記支持ロッド６２の右端には前記第一ラック６５が固定的に設置され、前記作業空間１６の後端壁には旋転軸６０が回転できるように設置され、前記旋転軸６０には前記伝動ギヤ６１と旋転ロッド６３とが固定的に設置され、前記旋転ロッド６３が前記伝動ギヤ６１の前側に位置しており、前記旋転ロッド６３の中には圧力ロッド６６が回転できるように設置され、前記旋転ロッド６３と前記圧力ロッド６６との間には圧力ばね６４が設置され、前記旋転軸６０の右側には前記作業空間１６の後端壁と固定的に連結された電源６８が設置され、前記作業空間１６の後端壁の中には前方に開口した移動溝５９が形成され、前記移動溝５９の左端壁には電磁石８６が固定的に設置され、前記移動溝５９の中には前端が前記作業空間１６の中に位置している鉄ブロック５８がスライドできるように設置され、前記鉄ブロック５８の前端にはプラグ６７が固定的に設置され、前記プラグ６７と前記モータ７７とが電線３７によって連通され、前記モータ７７の前端面にはモータ軸７８が回転できるように設置され、前記モータ軸７８にはセクタギヤ７９が固定的に設置されている。
【００２２】
有益的には、前記飲水機構９１は前記作業空間１６の上端壁と固定的に連結された貯水ブロック３５を含み、前記貯水ブロック３５の上側には前記飲水器１０とヒンジで連結された弧状板３６が設置され、前記貯水ブロック３５の下側には前記作業空間１６の後端壁と固定的に連結された水蓄えブロック８４が設置され、前記水蓄えブロック８４の中には水蓄え空間４６が設置され、前記水蓄え空間４６と前記貯水ブロック３５とが水入り管４３によって連通され、前記水入り管４３の中には第一逆止め弁４５が設置され、前記作業空間１６の下端壁の左側には外部空間に連通した水取り溝１２が形成され、前記作業空間１６の後端壁には排水器１３が装着され、前記排水器１３と前記水蓄え空間４６とが排水管３９によって連通され、前記排水管３９の中には第二逆止め弁４４が設置され、前記水蓄え空間４６の中にはピストン４２がスライドできるように設置され、前記ピストン４２の左端面には左端が前記水蓄え空間４６の左端壁と固定的に連結されたピストンばね４１が上下対称的に、固定的に設置され、前記ピストン４２の左端面の中心には左端が前記作業空間１６の中に位置するピストンロッド４０が固定的に設置され、前記ピストンロッド４０の下端面には鉛直ロッド７５が固定的に設置され、前記鉛直ロッド７５の下端には第二ラック７６が固定的に設置されている。
【００２３】
有益的には、前記昇降ばね２３が圧縮状態にある。
【００２４】
有益的には、前記セクタギヤ７９が回転する時に前記大型ギヤ６９と、前記動力ギヤ７４と、前記第二ラック７６と順次に噛み合うように伝動できる。
【００２５】
有益的には、前記飲水器１０の上端面には開閉板３３がヒンジで連結され、前記開閉板３３の上端面には耳型ブロック３４が固定的に設置されている。
【００２６】
装置全体の作動手順は以下の通りである。
【００２７】
１、耳型ブロック３４を回転させ、幼稚園の係員が季節と子供の体の具合によって錠剤２７を替えられる。
【００２８】
２、 子供が水を飲む時、押し板２９を押し、押出ロッド２８を連動させて右方へ運動させ、最上側の錠剤２７を押し出し、押しばね３１の作用のもとで押出ロッド２８が復帰し、昇降ばね２３が上方へ復帰し、昇降ブロック２４を上昇連動させ、第一ラック６５が昇降ブロック２４につれ上昇し、旋転ロッド６３を回転連動させ、これによりプラグ６７を押し動かして右方へ運動させ、且つ電源６８の中に差し込む。
【００２９】
３、電線３７の伝導でモータ７７が通電して作動し、モータ軸７８を回転連動させ、セクタギヤ７９がモータ軸７８につれ回転し、セクタギヤ７９がまず大型ギヤ６９と噛み合うように伝動し、大型ギヤ６９を回転連動させ、第二小型プーリ７１が大型ギヤ６９につれ回転し、第二ベルト５６の摩擦伝動によって、第一小型プーリ８２を回転連動させ、第一プーリ８０が第一小型プーリ８２につれ回転し、これにより第一ベルト５５を運動連動させ、カップ５２が第一ベルト５５につれ運動し、これにより一つのカップ５２が水取り溝１２の中に落ちる。
【００３０】
４、セクタギヤ７９が次に動力ギヤ７４と噛み合うように伝動し、動力ギヤ７４を回転連動させ、動力プーリ７３が動力ギヤ７４につれ回転し、第三ベルト１１の摩擦伝動で粉砕プーリ８３を回転連動させ、粉砕軸１５が粉砕プーリ８３につれ回転し、摩擦輪１４を回転連動させ、円輪１９との伝動によって落ちた錠剤２７を粉砕してカップ５２の中に落とす。
【００３１】
５、セクタギヤ７９が次に第二ラック７６と噛み合い、第二ラック７６を連動させて右方へ運動させ、ピストン４２が第二ラック７６につれ右方へ運動し、水蓄え空間４６の中の水が排水管３９と排水器１３とによってカップ５２の中に排出され、そして粉砕した錠剤２７を溶かす。
【００３２】
６、取っ手４８を引き動かしてドア板５１を回転させ、これによりカップ５２を補充できる。
【００３３】
以上の実施例はあくまで本発明の技術的原理と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【図１】
2020203725.tif 000003
【図２】
2020203725.tif 000004
【図３】
2020203725.tif 000005
【図４】
2020203725.tif 000006
【図５】
2020203725.tif 000007
【図６】
2020203725.tif 000008